(57)【要約】【課題】車両端末機、保険会社システムと整備業者端末システムとネットワーク網を通じて連結する中古車予想価格提供システム及び方法が開示される。【解決手段】中古車予想価格提供システムは、車両の部品状態情報、運行情報、整備情報、年式及び事故内訳情報を格納するデータベース部と、前記保険会社システムから前記車両の事故情報を受信し、前記整備業者端末システムから前記車両の整備情報を受信し、前記車両端末機から運行情報を受信し、前記車両の年式及び運行距離に対応する基本中古車相場を前記データベース部から読み取り、前記車両の部品状態情報、整備情報及び事故内訳情報を参照して、前記基本中古車相場情報を補正して提供するサーバーとを含む。【選択図】図２
2015090703.tif 000002
【特許請求の範囲】
【請求項１】
車両端末機、保険会社システム及び整備業者端末システムとネットワーク網を通じて連結する中古車予想価格提供システムであって、
車両の部品状態情報、運行情報、整備情報、年式及び事故内訳情報を格納するデータベース部と、
前記保険会社システムから前記車両の事故情報を受信し、前記整備業者端末システムから前記車両の整備情報を受信し、前記車両端末機から運行情報を受信し、前記車両の年式及び運行距離に対応する基本中古車相場を前記データベース部から読み取り、前記車両の部品状態情報、整備情報及び事故内訳情報を参照して、前記基本中古車相場情報を補正して提供するサーバーとを含む中古車予想価格提供システム。
【請求項２】
前記データベース部は、
前記車両の年式及び前記車両を構成する部品の状態情報を格納する車両の部品状態情報データベースと、
前記車両の運行距離を含む運行情報を格納した運行情報データベースと、
前記車両の整備履歴情報を格納する整備情報データベースと、
前記車両の事故内訳情報を格納する事故内訳情報データベースとを含むことを特徴とする請求項１に記載の中古車予想価格提供システム。
【請求項３】
前記車両の部品状態情報データベースは、前記車両の部品に対応する劣化程度を示す情報を格納することを特徴とする請求項２に記載の中古車予想価格提供システム。
【請求項４】
前記車両の部品に対応する劣化程度は、顧客平均対比の値で決めるか、部品設計当時に予め定めた耐久予測曲線を利用して決めることを特徴とする請求項３に記載の中古車予想価格提供システム。
【請求項５】
前記中古車予想価格は、部品別に加重値を適用して決めることを特徴とする請求項４に記載の中古車予想価格提供システム。
【請求項６】
前記中古車予想価格は、部品の劣化程度を示す基準値対比の指数に前記部品別加重値をかけた値に部品別平均価格をかけて合わせた値であることを特徴とする請求項５に記載の中古車予想価格提供システム。
【請求項７】
前記サーバーは、中古車予想価格に整備内訳または事故内訳に対応する費用を追加補正値を合わせて提供することを特徴とする請求項６に記載の中古車予想価格提供システム。
【請求項８】
車両の部品状態情報、運行情報、整備情報、年式及び事故内訳情報を格納するためのデータベース部を具備し、車両端末機、保険会社システム及び整備業者端末システムとネットワーク網を通じて連結する中古車予想価格提供システムの中古車予想価格提供方法であって、
前記サーバーが前記保険会社システムから前記車両の事故情報を受信して前記データベース部に格納するステップと、
前記整備業者端末システムから前記車両の整備情報を受信して前記データベース部に格納するステップと、
前記車両の年式及び運行距離に対応する基本中古車相場を前記データベース部から読み取り、前記車両の部品状態情報、整備情報及び事故内訳情報を参照して、前記基本中古車相場情報を補正して中古車予想価格を生成して提供するステップとを含む中古車予想価格提供方法。
【請求項９】
前記中古車予想価格を生成して提供するステップにおいて、
前記中古車予想価格は、部品の劣化程度を示す基準値対比の指数に前記部品別加重値をかけた値に部品別平均価格をかけて合わせた値であることを特徴とする請求項８に記載の中古車予想価格提供方法。
【請求項１０】
前記サーバーは、中古車予想価格に整備内訳または事故内訳に対応する費用を追加補正値を合わせて提供することを特徴とする請求項９に記載の中古車予想価格提供方法。
【請求項１１】
前記車両の部品に対応する劣化程度は、顧客平均対比の値で決めるか、部品設計当時に予め定めた耐久予測曲線を利用して決めることを特徴とする請求項１０に記載の中古車予想価格提供方法。
【発明の詳細な説明】
【技術分野】
【０００１】
本発明は、中古車予想価格提供システム及び方法に関し、特に、車両データを分析し、これに基づいて中古車予想価格を提供する中古車予想価格提供システム及び方法に関するものである。
【背景技術】
【０００２】
一般的に中古車両を売買する時は、オフラインの中古車市場を利用して相場を調べ車両を取り引きしたり、またはオンラインの中古車相場を参照してオンラインで中古車両を購買していた。
【０００３】
しかし、このような方法によって提供される中古車相場は、年式などを主にして相場が決められるため、実際の車両の状態を正確に反映することはできなかった。
【０００４】
最近は、これを補完するために、事故情報などを活用したり、運行距離などをさらに反映して中古車相場を決めていた。
【０００５】
しかし、このような方法でも、走行距離を操作したりする詐欺が多く、車両の正確な部品状態や運行情報などを反映することはできなかった。
【０００６】
一方、車両によって、同じ年式でも整備による部品の摩耗程度が異なり、運行地域や時間などが異なり、車両の状態も異なることになる。
【０００７】
従って、消費者にこのような情報を反映した中古車相場情報を提供する必要がある。
【０００８】
参照できるような関連の従来技術としては、特許文献１に中古車相場の自動変動を予測して競売を進行する技術が開示されているが、これは、既存の中古車相場の変動を予測する内容と類似しているだけで、車両の正確な部品状態や運行情報などを反映することはできていなかった。
【先行技術文献】
【特許文献】
【０００９】
【特許文献１】韓国登録特許第１０−１０６１０９４号
【発明の概要】
【発明が解決しようとする課題】
【００１０】
本発明は、上記問題点を解決するためになされたものであって、本発明が解決しようとする課題は、従来の不便な点を解決しようとするものであって、運転者に車両の整備情報、車両のセンサー情報及び運行情報などを反映した中古車価格情報を提供することである。
【００１１】
また、運転者の立場では、車両の正確な運行情報、整備情報及び車両のセンサー情報などを反映した中古車相場情報を提供して、時間の無駄を減らし、自分に適合した信じられる中古車を選んだり、正しい売買価格で売ることができるようにする。
【００１２】
また、自動車メーカーの立場では、運転者を配慮する自動車メーカーとしての認識を向上する。
【課題を解決するための手段】
【００１３】
このような課題を解決するための本発明の特徴による中古車予想価格提供システムは、
車両端末機、保険会社システムと整備業者端末システムとネットワーク網を通じて連結する中古車予想価格提供システムであって、車両の部品状態情報、運行情報、整備情報、年式及び事故内訳情報を格納するデータベース部と、前記保険会社システムから前記車両の事故情報を受信し、前記整備業者端末システムから前記車両の整備情報を受信し、前記車両端末機から運行情報を受信し、前記車両の年式及び運行距離に対応する基本中古車相場を前記データベース部から読み取り、前記車両の部品状態情報、整備情報及び事故内訳情報を参照して、前記基本中古車相場情報を補正して提供するサーバーとを含む。
【００１４】
前記データベース部は、前記車両の年式及び前記車両を構成する部品の状態情報を格納する車両の部品状態情報データベースと、前記車両の運行距離を含む運行情報を格納した運行情報データベースと、前記車両の整備履歴情報を格納する整備情報データベースと、前記車両の事故内訳情報を格納する事故内訳情報データベースとを含む。
【００１５】
前記車両の部品状態情報データベースは、前記車両の部品に対応する劣化程度を示す情報を格納することを特徴とする。
【００１６】
前記車両の部品に対応する劣化程度は、顧客平均対比の値で決めるか、部品設計当時に予め定めた耐久予測曲線を利用して決めることを特徴とする。
【００１７】
前記中古車予想価格は、部品別に加重値を適用して決めることを特徴とする。
【００１８】
前記中古車予想価格は、部品の劣化程度を示す基準値対比の指数に前記部品別加重値をかけた値に部品別平均価格をかけて合わせた値であることを特徴とする。
【００１９】
前記サーバーは、中古車予想価格に整備内訳または事故内訳に対応する費用を追加補正値を合わせて提供することを特徴とする。
【００２０】
このような課題を解決するための本発明の特徴による中古車予想価格提供方法は、車両の部品状態情報、運行情報、整備情報、年式及び事故内訳情報を格納するためのデータベース部を具備し、車両端末機、保険会社システムと整備業者端末システムとネットワーク網を通じて連結する中古車予想価格提供システムの中古車予想価格提供方法であって、前記サーバーが前記保険会社システムから前記車両の事故情報を受信して前記データベース部に格納するステップと、前記整備業者端末システムから前記車両の整備情報を受信して前記データベース部に格納するステップと、前記車両の年式及び運行距離に対応する基本中古車相場を前記データベース部から読み取り、前記車両の部品状態情報、整備情報及び事故内訳情報を参照して、前記基本中古車相場情報を補正して中古車予想価格を生成して提供するステップとを含む。
【００２１】
前記中古車予想価格を生成して提供するステップにおいて、前記中古車予想価格は、部品の劣化程度を示す基準値対比の指数に前記部品別加重値をかけた値に部品別平均価格をかけて合わせた値であることを特徴とする。
【００２２】
前記サーバーは、中古車予想価格に整備内訳または事故内訳に対応する費用を追加補正値を合わせて提供することを特徴とする。
【００２３】
前記車両の部品に対応する劣化程度は、顧客平均対比の値で決めるか、部品設計当時に予め定めた耐久予測曲線を利用して決めることを特徴とする。
【発明の効果】
【００２４】
本発明によれば、運転者の立場では、車両の正確な運行情報、整備情報及び車両のセンサー情報などを反映した中古車相場情報を提供して、時間の無駄を減らし、自分に適合した信じられる中古車を選んだり、正しい売買価格で売ることができる。
【００２５】
また、自動車メーカーの立場では、運転者を配慮する自動車メーカーとしての認識を向上することができる。
【図面の簡単な説明】
【００２６】
【図１】本発明の実施例に係る中古車予想価格提供システムの構成図である。
【図２】本発明の実施例に係る中古車予想価格提供方法の動作フローチャートである。
【図３】本発明の実施例に係る中古車予想価格提供システムで中古車予想価格を計算する例を示す表である。
【図４】本発明の実施例に係る中古車予想価格提供システムにおける構成図である。
【発明を実施するための形態】
【００２７】
以下、本発明の好ましい実施例を添付の図面を参照して詳しく説明する。
【００２８】
本発明は、様々な異なる形態で具現されることができ、ここで説明する実施例に限定されない。
【００２９】
また、図面に示した各構成は、説明の便宜のために任意に示したので、本発明が必ずしも図面の図示に限定されるものではない。
【００３０】
下記で独立のファンクションキーは、ファンクションキーの実行と同時に要請機能が実行されるものであり、従属ファンクションキーとは、要請した機能が特定条件を満たす場合に実行するものを意味する。
【００３１】
図１は、本発明の実施例に係る中古車予想価格提供システムの構成図である。
【００３２】
図１を参照すると、本発明の実施例に係る中古車予想価格提供システムは、
車両端末機２００、保険会社システム３００と整備業者端末システム４００とネットワーク網５００を通じて連結する中古車予想価格提供システム１００であって、
車両の部品状態情報、運行情報、整備情報、年式及び事故内訳情報を格納するデータベース部１２０と、
前記保険会社システムから前記車両の事故情報を受信し、前記整備業者端末システムから前記車両の整備情報を受信し、前記車両端末機から運行情報を受信し、前記車両の年式及び運行距離に対応する基本中古車相場を前記データベース部から読み取り、前記車両の部品状態情報、整備情報及び事故内訳情報を参照して、前記基本中古車相場情報を補正して提供するサーバー１１０とを含む。
【００３３】
前記データベース部１２０は、前記車両の年式及び前記車両を構成する部品の状態情報を格納する車両の部品状態情報データベース１２１と、前記車両の運行距離を含む運行情報を格納した運行情報データベース１２２と、前記車両の整備履歴情報を格納する整備情報データベース１２３と、前記車両の事故内訳情報を格納する事故内訳情報データベース１２４とを含む。
【００３４】
前記車両の部品状態情報データベース１２１は、前記車両の部品に対応する劣化程度を示す情報を格納することを特徴とする。
【００３５】
前記車両の部品に対応する劣化程度は、顧客平均対比の値で決めるか、部品設計当時に予め定めた耐久予測曲線を利用して決めることを特徴とする。
【００３６】
前記中古車予想価格は、部品別に加重値を適用して決めることを特徴とする。
【００３７】
前記中古車予想価格は、部品の劣化程度を示す基準値対比の指数に前記部品別加重値をかけた値に部品別平均価格をかけて合わせた値であることを特徴とする。
【００３８】
前記サーバー１１０は、中古車予想価格に整備内訳または事故内訳に対応する費用を追加補正値を合わせて提供することを特徴とする。
【００３９】
このような構成を有する本発明の実施例に係る中古車予想価格提供システムの動作について説明すると、以下の通りである。
【００４０】
図２は、本発明の実施例に係る中古車予想価格提供方法の動作フローチャートであり、図３は、本発明の実施例に係る中古車予想価格提供システムで中古車予想価格を計算する例を示す表であり、図４は、本発明の実施例に係る中古車予想価格提供システムにおける構成図である。
【００４１】
図２を参照すると、運転者に車両の整備情報、車両センサー情報及び運行情報などを反映した中古車予想価格情報を提供するために、車両では、車両の運行が終了すれば、車両の部品状態情報（センサー点検値）と運行情報を車両の端末器２００のセンターサーバー１１０に所定周期で送信し、サーバー１１０は、車両部品状態情報データベース１２０に受信された情報を格納する。
【００４２】
すると、サーバー１１０は、運行情報を運行情報データベース１２２に格納する。
【００４３】
この時、受信情報は、各車両別に格納され、車両の基本情報に対応する車両部品状態情報が格納される。
【００４４】
また、サーバー１１０は、前記整備業者端末システム４００から前記車両の整備情報を受信して整備情報データベース１２３に格納する（Ｓ３００）。
【００４５】
そして、事故情報は、保険会社システム３００を通じて発生時ごとに車両情報と共にセンターサーバー１１０に受信され、サーバー１１０は、事故情報データベース１２４に事故情報を格納する（Ｓ３０２）。
【００４６】
従って、センターサーバー１１０では、顧客別に周期的に事故情報、運行情報及び整備情報をアップデートし、車両の主要部品状態に対してモニタリング値（劣化、耐久程度）を有している。
【００４７】
このような状態で、サーバーは、顧客の車両端末機２００またはネットワーク網５００の接続が可能なＰＣなどのその他の端末器の要請に応じて、前記車両の年式及び運行距離に対応する基本中古車相場を外部から受信するか、内部のデータベース部１２０に予め格納した後、読み込む（Ｓ３０４）。
【００４８】
その後、サーバー１１０は、前記車両の部品状態情報、整備情報及び事故内訳情報を参照して、前記基本中古車相場情報を補正し、中古車予想価格を生成して提供する（Ｓ３０６、Ｓ３０８）。
【００４９】
必要に応じて、予め中古車予想価格を生成しておき、外部の要請に応じて提供してもよく、要請時ごとに中古車予想価格を生成して提供してもよい。
【００５０】
前記過程で中古車予想価格を決める過程を詳しく説明する。
【００５１】
先ず、サーバー１１０は、最初の開始価格を年式、走行距離、モデルによる基本中古車価格を連動して外部から入力を受けるか、データベース部１２０から持ってくる。
【００５２】
そして、これに運行情報、車両部品情報及び整備情報を反映して補正をする。
【００５３】
具体的には、図３のように、パワートレイン、シャーシー、ボディー、マルチメディア分野等で部品を区分し、各分野の部品別に加重値が決められ、このような加重値の全体合計は１００パーセントとする。
【００５４】
そして、各部品に対して基準値対比の劣化度などによって指数を付与する。このような指数は、必要に応じて他の方法でも可能であり、部品の老朽度が小であるほど高く付与する。
【００５５】
そして、各部品別平均価格は、開始価格として顧客車両の仕様や年式など当該時点を基準とする。
【００５６】
そして、追加補正値は、事故内訳や整備／修理内訳から反映されてもよく、その他に運行地域、例えば海岸地域や埃の多い地域などの情報から反映されてもよい。
【００５７】
各部品別の最終補正価格は、簡単に以下のような式で表される。
【数１】
2015090703.tif 000003
そして、各部品別項目の最終補正価格を総合計すれば、当該時点の中古車予想価格が計算される。
【００５８】
ここで、センターサーバー１１０を基盤として影響因子別の基準耐久値は車両部品状態情報データベース１２１に格納している（基準耐久値は、顧客平均対比の値で考える場合と、設計当時の耐久予測曲線の場合がある）。このような曲線の例は、図４の通りである。
【００５９】
図４を参照すると、時間の流れによって、耐久性は図４の曲線に沿って下がり、価値も落ちる。
【００６０】
そして、必要に応じて主要補正値及び耐久程度、整備履歴などに対して、自動車会社で保障する保証書の発給等を通じて顧客に信頼度を向上させることもできる。
【００６１】
このような計算式は、多様に変形が可能であり、車両の整備情報、車両センサー情報及び運行情報などを中古車相場に反映する方法は、多様に変形することができる。
【００６２】
以上のように、本発明に関する好ましい実施例を説明したが、本発明は前記実施例に限定されず、本発明の実施例から当該発明が属する技術分野における通常の知識を有する者によって容易に変更されて均等であると認められる範囲の全ての変更を含む。
【符号の説明】
【００６３】
１１０:サーバー
１２１:車両部品状態情報ＤＢ
１２２:運行情報ＤＢ
１２３:整備情報ＤＢ
１２４:事故内訳情報ＤＢ
【図１】
2015090703.tif 000004
【図２】
2015090703.tif 000005
【図３】
2015090703.tif 000006
【図４】
2015090703.tif 000007